(57)【要約】【課題】  簡明な構成でありながら安定した動作が確保し得、安価に製造し得ること。【解決手段】  ソケット本体１に、光素子５を保持する素子保持部６と、光プラグｐを光素子５との光結合位置まで導入するプラグ挿入孔４と、その開口部に配した開閉自在なシャッターとを備える。シャッターを、両端に配した回転軸１０、１０、その軸心に沿って補助軸３ｃを支承可能に構成した補助軸用溝部２ｂ及び係止腕部３ｄの当接係止部３ｅを当接させるスライド係合面２ｃを備えたシャッター本体２と、プラグ挿入孔４の開口部に配した回転軸１０、１０を回転自在に支持する軸受部８、８と、コイル部３ｂ、その一端から延びる係止腕部３ｄ、コイル部３ｂの他端に配したＵ字状の折曲係止部３ａ、及びその更に延長先に構成した補助軸３ｃを備えたねじりコイルバネ３と、プラグ挿入孔４の内面に構成した、折曲係止部３ａを係止する係止用隙間空間１２とで構成した。【選択図】  図２
0003129567.tif 000002
【実用新案登録請求の範囲】
【請求項１】
ソケット本体に、受光素子又は発光素子の一方又は双方を保持する素子保持部と、光コネクタのプラグを前記受光素子又は発光素子との光結合位置まで導入保持するプラグ挿入孔と、該プラグ挿入孔の開口部に配した開閉自在なシャッターとを備えてなる光コネクタのソケットに於いて、
前記シャッターを、
前記プラグ挿入孔の開口部形状に対応する外形を持った板状の部材で構成したシャッター本体と、
該シャッター本体の回動内端となる辺の両端に各々その回動軸心に一致させて突出させた回転軸と、
前記ソケット本体のプラグ挿入孔の開口部の、前記シャッター本体の回動内端となる辺の両端に対応する部位に構成した、該シャッター本体の両回転軸を各々回転自在に支持する軸受部と、
前記シャッター本体の回動内端となる辺側裏面と該辺に対応するプラグ挿入孔の内面部位を掘り下げたコイルセット部との間に配するコイル部、該コイル部の一端から延長してその先端でコイル部の軸心に平行に折曲した当接係止部を有する係止腕部であって、前記シャッター本体の裏面に該当接係止部をスライド自在に係合する係止腕部、該コイル部の他端から延長し、途中を折り返し状に折曲して後記係止用隙間空間に挿入係止すべく構成した折曲係止部、及び該折曲係止部の先端から延長してその先端を該コイル部の軸心に平行に折曲し、前記シャッター本体の回動内端となる辺側の裏面側一側部に前記回転軸の軸心に一致させて配置し得るように構成した補助軸の各々を備えたねじりコイルバネと、
前記ソケット本体のプラグ挿入孔の開口部の、前記シャッター本体の回動内端となる辺側の裏面側一側部に対応するプラグ挿入孔の内面を掘り下げた掘り下げ内面と該プラグ挿入孔の奥側から該掘り下げ内面に平行に突出する係止鍔の対面する面とで構成した、前記折曲係止部を挿入係止するための係止用隙間空間と、
で構成した光コネクタのソケット。
【請求項２】
前記二つの軸受部に、該二つの軸受部で支持される前記二つの回転軸の両端間の間隔で対面し、該二つの軸受部に各々繋がり、前記ソケット本体の外部に開口するまで延長したスライド案内溝を構成し、かつ該スライド案内溝の該二つの軸受部の直前の部位に両スライド案内溝の間隔を狭める方向に弾力的に突出する弾力突出部を形成した請求項１の光コネクタのソケット。
【請求項３】
前記折曲係止部を、前記ねじりコイルバネのコイル部の他端から延長して途中をＵ字状に折り返すことにより構成した請求項１又は２の光コネクタのソケット。
【請求項４】
前記プラグ挿入孔の両側内面の間隔を、前記シャッター本体の両側部に対面する部位より前方の部位で該シャッター本体の幅と同一以下の寸法に構成し、かつ該前方の部位より奥方向に向かって徐々に幅広の寸法になるように構成した請求項１、２又は３の光コネクタのソケット。
【請求項５】
前記シャッター本体の回動内端となる辺側の裏面側で、前記ねじりコイルバネの補助軸を配置した側部と反対側の側部に、該回動内端となる辺側から回動外端となる辺に向かって延びるスライド係合面を形成し、該スライド係合面に、前記ねじりコイルバネの係止腕部の当接係止部をスライド自在に係合し得るように構成した請求項１、２、３又は４の光コネクタのソケット。
【請求項６】
前記シャッター本体の回動内端となる辺側の裏面側一側部に、前記回転軸の軸心に一致させて補助軸用溝部を構成し、前記ねじりコイルバネの補助軸を該補助軸用溝部に挿入し得るように構成した請求項１、２、３、４は５の光コネクタのソケット。
【考案の詳細な説明】
【技術分野】
【０００１】
本考案は、各種ＡＶ機器や種々のデータの伝送機器等に於いて、その取り扱うディジタル信号を入出力する機器類に具備されている光コネクタのソケット、特に、角型の光コネクタのプラグと接続するための光コネクタのソケットに関する。
【背景技術】
【０００２】
この種の光コネクタのソケットは、そのプラグ挿入孔に光コネクタのプラグを挿入することにより、前者に保持されている受光素子又は発光素子とプラグとの光学的接続を行って、光信号の伝達を可能にすることにより所期の目的を達するものであるが、プラグが挿入されていないとき、即ち、その不使用時にプラグ挿入孔をどのようにして閉じるかが当初からの問題であった。
【０００３】
これに関しては、多数の改良改善が繰り返され、そのような不使用時に、保護キャップを用いてプラグ挿入孔の開口部を閉じるという、ごく簡単ではあるが、使用時のキャップの扱いが厄介となる手段から始まった。その後、該開口部に開閉自在な外開きのシャッターを作り付けるという、使用時、即ち、プラグを挿入する際にいちいちシャッターを開かなければならないという操作上の厄介さはあるが、キャップをどこかに保管しておかなければならないと云うような不都合は解消した手段が続き、これは更に該シャッターを内開きにするという手段へと進化した。こうして、使用時、即ち、プラグを挿入する際にはそのままシャッターを押し込み、不使用時には、単にプラグを引き抜けば、シャッターが閉じるというように、操作の極めて簡単なものとなり、開口部を使用時に開き、不使用時に閉じるという機能面ではある程度、満足すべき結果が得られるようになった。
【０００４】
しかしプラグ挿入孔の開口部に配されたシャッターは、以上のように、求められる本来の機能はある程度満足すべきものとなったが、これを備えた光コネクタのソケットを構成するハウジングの金型構造が複雑化し、或いは部品点数が増加し、結果としてその高価格化を招く新たな問題が生じることとなった。そこでこれらの問題を解決すべく、特許文献１の提案がなされ、現在では、該提案に基づく光コネクタのソケットが最も優れたものとなっている。
【０００５】
なお、該特許文献１の光コネクタのソケットは、ソケット本体に、受光素子又は発光素子の一方又は双方を保持する素子保持部と、光コネクタのプラグを挿入するためのプラグ挿入孔であって、該プラグを前記受光素子又は発光素子との光結合位置まで導入保持するプラグ挿入孔と、該プラグ挿入孔の開口部に配した開閉自在なシャッターとを備えてなる光コネクタのソケットに於いて、前記シャッターを、その前面に前記プラグの側部に位置する挿入ガイド用突条に対応するガイド溝を備えたシャッター本体と、該シャッター本体の該ガイド溝の入口側に対応する側部に該ガイド溝と交差する向きに一体に構成したヒンジ軸であって、その両端が前記ソケット本体の対応する部位に回動自在に支持されるヒンジ軸と、該シャッター本体の裏面に該ヒンジ軸と平行に、かつ該シャッター本体と一体に構成したバネ支持軸と、該バネ支持軸にバネ本体を外装したねじりコイルバネであって、その一端側延長部を該シャッター本体の裏面の前記ヒンジ軸と反対側の部位に当接させ、他端側延長部を前記ヒンジ軸と同一の側のソケット本体の内側面にスライド可能に当接させたねじりコイルバネと、で構成したものである。
【０００６】
【特許文献１】特開２００３−３２２７６６号公報
【考案の開示】
【考案が解決しようとする課題】
【０００７】
本考案は、前記特許文献１と同様の機能を備え、その構成の簡略化を図りつつ、シャッターの開閉動作の一層の安定性・確実性を確保し得る光コネクタのソケットを提供することを解決の課題とする。
【課題を解決するための手段】
【０００８】
本考案の１は、ソケット本体に、受光素子又は発光素子の一方又は双方を保持する素子保持部と、光コネクタのプラグを前記受光素子又は発光素子との光結合位置まで導入保持するプラグ挿入孔と、該プラグ挿入孔の開口部に配した開閉自在なシャッターとを備えてなる光コネクタのソケットに於いて、
前記シャッターを、
前記プラグ挿入孔の開口部形状に対応する外形を持った板状の部材で構成したシャッター本体と、
該シャッター本体の回動内端となる辺の両端に各々その回動軸心に一致させて突出させた回転軸と、
前記ソケット本体のプラグ挿入孔の開口部の、前記シャッター本体の回動内端となる辺の両端に対応する部位に構成した、該シャッター本体の両回転軸を各々回転自在に支持する軸受部と、
前記シャッター本体の回動内端となる辺側裏面と該辺に対応するプラグ挿入孔の内面部位を掘り下げたコイルセット部との間に配するコイル部、該コイル部の一端から延長してその先端でコイル部の軸心に平行に折曲した当接係止部を有する係止腕部であって、前記シャッター本体の裏面に該当接係止部をスライド自在に係合する係止腕部、該コイル部の他端から延長し、途中を折り返し状に折曲して後記係止用隙間空間に挿入係止すべく構成した折曲係止部、及び該折曲係止部の先端から延長してその先端を該コイル部の軸心に平行に折曲し、前記シャッター本体の回動内端となる辺側の裏面側一側部に前記回転軸の軸心に一致させて配置し得るように構成した補助軸の各々を備えたねじりコイルバネと、
前記ソケット本体のプラグ挿入孔の開口部の、前記シャッター本体の回動内端となる辺側の裏面側一側部に対応するプラグ挿入孔の内面を掘り下げた掘り下げ内面と該プラグ挿入孔の奥側から該掘り下げ内面に平行に突出する係止鍔の対面する面とで構成した、前記折曲係止部を挿入係止するための係止用隙間空間と、
で構成した光コネクタのソケットである。
【０００９】
本考案の２は、本考案の１の光コネクタのソケットに於いて、前記二つの軸受部に、該二つの軸受部で支持される前記二つの回転軸の両端間の間隔で対面し、該二つの軸受部に各々繋がり、前記ソケット本体の外部に開口するまで延長したスライド案内溝を構成し、かつ該スライド案内溝の該二つの軸受部の直前の部位に両スライド案内溝の間隔を狭める方向に弾力的に突出する弾力突出部を形成したものである。
【００１０】
本考案の３は、本考案の１又は２の光コネクタのソケットに於いて、前記折曲係止部を、前記ねじりコイルバネのコイル部の他端から延長して途中をＵ字状に折り返すことにより構成したものである。
【００１１】
本考案の４は、本考案の１、２又は３の光コネクタのソケットに於いて、前記プラグ挿入孔の両側内面の間隔を、前記シャッター本体の両側部に対面する部位より前方の部位で該シャッター本体の幅と同一以下の寸法に構成し、かつ該前方の部位より奥方向に向かって徐々に幅広の寸法になるように構成したものである。
【００１２】
本考案の５は、本考案の１、２、３又は４の光コネクタのソケットに於いて、前記シャッター本体の回動内端となる辺側の裏面側で、前記ねじりコイルバネの補助軸を配置した側部と反対側の側部に、該回動内端となる辺側から回動外端となる辺に向かって延びるスライド係合面を形成し、該スライド係合面に、前記ねじりコイルバネの係止腕部の当接係止部をスライド自在に係合し得るように構成したものである。
【００１３】
本考案の６は、本考案の１、２、３、４は５の光コネクタのソケットに於いて、前記シャッター本体の回動内端となる辺側の裏面側一側部に、前記回転軸の軸心に一致させて補助軸用溝部を構成し、前記ねじりコイルバネの補助軸を該補助軸用溝部に挿入し得るように構成したものである。
【考案の効果】
【００１４】
したがって本考案の１の光コネクタのソケットによれば、プラグ挿入孔の開口部に配したシャッター本体を、不使用時には、ねじりコイルバネの作用により特別の操作を必要とせずに閉じ得ると共に、使用する際には、単に光コネクタのプラグを該プラグ挿入孔に挿入することのみで開き得るものであり、加えて、該ソケットを構成するバネ用の支持軸を不要とする等、部品点数を減少させ、簡易に製造できるものとしたと共に、ねじりコイルバネに補助軸を構成し、これによってシャッターの開閉動作を安定して行い得るようにしたものでもある。
【００１５】
本考案の２の光コネクタのソケットによれば、シャッター本体の回動内端となる辺の両端部に構成した回転軸をスライド案内溝を通じて軸受部に案内し、その直前の弾力突出部をその弾力後退を利用して乗り越えさせると、軸受部への回転軸の導入が容易に行えるものであり、かつ軸受部の構成が簡易なものでありながら、該回転軸をその軸受部に確実に支承させることができることになる。
【００１６】
本考案の３の光コネクタのソケットによれば、折曲係止部を簡単に構成できると共に、前記係止用隙間空間に挿入して確実に係止させ得、ねじりコイルバネの保持を確実なものとすることができる。
【００１７】
本考案の４の光コネクタのソケットによれば、プラグ挿入孔の両側内面間の間隔が、前記シャッター本体の配してある部位より前方の部位で、該シャッター本体の幅と同一以下の幅寸法に構成してあるため、該シャッター本体が無用に外開きになってしまうことを回避することができる。勿論、該部位より奥方向に向かって該プラグ挿入孔の両側内面間の間隔は徐々に拡幅しているため、該シャッター本体の内開きには何の問題も生じない。
【００１８】
本考案の５の光コネクタのソケットによれば、シャッター本体の開閉動作が行われる際に、該シャッター本体の裏面側で、ねじりコイルバネの係止腕部の当接係止部がスライド係合面をその範囲内でスムーズにスライド移動することができるため、該シャッター本体の開閉動作を安定したものとすることができる。
【００１９】
本考案の６の光コネクタのソケットによれば、シャッター本体の裏面側の該当部位に補助軸用溝部を構成し、この補助軸用溝部にねじりコイルバネの補助軸を挿入し、該補助軸を前記回転軸の軸心に確実に一致させ得るようにしたため、シャッターの開閉動作が一層安定して行い得られるようになったものである。
【考案を実施するための最良の形態】
【００２０】
考案を実施する最良の形態を以下に示す一実施例に基づいて説明する。
【００２１】
この実施例の光コネクタのソケットは、図１、図２、図１１〜図１４に示すように、基本的に、ソケット本体１と、これに組み込まれるシャッター本体２及びねじりコイルバネ３とで構成したものである。
【００２２】
前記ソケット本体１は、図１〜図４に示すように、絶縁性で弾力性を有するプラスチック材によって成形されたボックス型を基本形状とする部材であり、その正面から背後側に向かってプラグ挿入孔４が形成され、該プラグ挿入孔４の内端後方に光素子（発光素子又は受光素子）５を保持する素子保持部６が形成してあり、該素子保持部６の正面側は、特に図２(b)、(c)、図３(a)及び図４(b)に示すように、プラグ挿入孔４の軸心を中心とする円形の接続穴６ａが開口している。この接続穴６ａは後記光プラグｐ先端の円筒状の光授受部ｐ１の外径に対応する内径寸法を有し、該光プラグｐがプラグ挿入孔４に挿入された際に該光プラグｐの光授受部ｐ１が該接続穴６ａに進入嵌合可能な円筒状空間となっている。
【００２３】
該素子保持部６は、図１(c)、図２(a)〜(c)、図３(c)及び図４(a)〜(c)に示すように、該プラグ挿入孔４と直交する向きに形成された挿入スリット７と連通し、これを通じてソケット本体１の側方から光素子５を該素子保持部６にスライド挿入できるようになっている。また該素子保持部６及び前記挿入スリット７には、同図に示すように、その後面に三列の弾力突条６ｂ、６ｂ、６ｂが、両側面に各々一列の弾力突条６ｃが、それぞれ光素子５の挿入方向に沿って形成してあり、更に後面の該三列の弾力突条６ｂ、６ｂ、６ｂの間で、該素子保持部６と該挿入スリット７の境界位置に二つの弾力ストッパ６ｄ、６ｄが形成してある。
【００２４】
そのため、光素子５は、該挿入スリット７から挿入すると、後面及び両側面の弾力突条６ｂ、６ｂ、６ｂ、６ｃ、６ｃによって弾力的に支持されつつスライド進入し、更に前記弾力ストッパ６ｄ、６ｄを弾力的に後退させながら乗り越え、前記素子保持部６中に進入することができる。また該光素子５は、図１(c)及び図２(a)〜(c)に示すように、弾力的に膨らみが戻った弾力ストッパ６ｄ、６ｄにより、該素子保持部６からの脱落が防止され、該素子保持部６内では、後面及び両側面の弾力突条６ｂ、６ｂ、６ｂ、６ｃ、６ｃによって弾力的に支持され、緩みのない保持状態が維持される。
【００２５】
前記プラグ挿入孔４は、図１(a)、図２(a)〜(c)、図３(a)及び図４(a)〜(c)に示すように、ソケット本体１の正面から背後側の素子保持部６の手前までに開口した光プラグｐの挿入用の空間であり、基本的には、該光プラグｐの形状に対応する内部形状に形成され、それに種々の必要に応じた変形が加わってものとなっている。この実施例では、角形の光プラグｐを対象としたので、該プラグ挿入孔４の断面は角形を基本とする形状であり、具体的には、その断面形状は、図１(a)及び図３(a)に示すように、四辺形の一辺の両端の角部を面取り状にカットした形状を基本とする形状になっている。また該プラグ挿入孔４は、その正面開口部及び内側面の一部に、前記シャッター本体２を正面開口部に開閉自在に取り付けるための手段である軸受部８、８及び係止鍔９等が構成され、若干の変形が加わっている。
【００２６】
前記軸受部８、８は、図１(a)及び図３(a)に示すように、プラグ挿入孔４の正面開口部の四辺の内、一端の角部のみが面取り状になっている辺の反対側角部付近に、相互に対向する状態に構成する。この実施例では、図１(d)、図３(d)及び図４(a)〜(c)に示すように、各軸受部８は、側方に貫通するほぼ四辺形の穴に形成したものである。当然、これに支承される後記回転軸１０の径に対応する辺寸法に構成してある。なお、該回転軸１０は、前記シャッター本体２の両側にこれを起伏回動自在にセットするために構成してある構成要素であり、詳細は後述する。
【００２７】
ソケット本体１の、該軸受部８、８の構成してある二つの辺が共に隣接している辺の側、即ち、図１(a)、図３(a)及び図４(a)〜(c)中で、下方に位置する辺側が、前記シャッター本体２の厚みを僅かに越える幅だけプラグ挿入孔４の奥行方向に開放状態とすべく切り欠かれた切欠部１１に形成してあり、この実施例では、この切欠部１１を通じて該シャッター本体２をプラグ挿入孔４の正面開口部に装入し、取付操作を行うように構成したものである。
【００２８】
両側の軸受部８、８が形成されている辺に、図４(a)〜(c)に示すように、該各軸受部８、８から前記切欠部（ソケット本体１の外部に開口する部位）１１まで延長するスライド案内溝８ａ、８ａを形成し、該各スライド案内溝８ａの軸受部８に接続する直前の位置に弾力突出部８ｂを形成する。両スライド案内溝８ａ、８ａは、図１(a)及び図３(a)に示すように、相互に対向状態に、かつ相互のスライド面を各軸受部８、８に支承される回転軸１０、１０のほぼ先端間の間隔で構成するものとし、前記弾力突出部８ｂ、８ｂは、両スライド案内溝８ａ、８ａの間隔を狭める方向に突出させて構成する。
【００２９】
また前記係止鍔９は、その一面が、プラグ挿入孔４の正面開口部の内、前記切欠部１１を形成した辺に連続する掘り下げ内面４ａと対面して前記ねじりコイルバネ３の後述するＵ字状の折曲係止部３ａを係止する手段である。図２(b)〜(d)、図４(b)、(c)及び図８(a)、(b)に示すように、上記掘り下げ内面４ａは、上記Ｕ字状の折曲係止部３ａの幅に相当する幅で、かつその長さに一致する奥行き寸法でソケット本体１の奥側に延長し、その最奥及び中央側の段差壁上部から鍔体を張り出させ、これを前記係止鍔９としたものである。この係止鍔９は、最奥から張り出した鍔体に加えて中央側の段差壁上部から張り出させた鍔体をも連続させたので、特に図２(d)、(e)に示すように、平面から見て逆Ｌ型をなす形状となっている。またこの係止鍔９は、その下面と前記掘り下げ内面４ａとの間の間隔を前記ねじりコイルバネ３のＵ字状の折曲係止部３ａがガタ付きなく装入できる程度に設定してあり、その隙間が該折曲係止部３ａを係止するための係止用隙間空間１２となる。
【００３０】
また該Ｕ字状の折曲係止部３ａが配置される掘り下げ内面４ａに隣接して、中央寄り側の開口部縁にねじりコイルバネ３のコイル部３ｂを該開口部縁に沿って配置するコイルセット部４ｂを構成しておくものとする。このコイルセット部４ｂは、図２(a)、(b)、(d)、(e)、図４(a)、(b)及び図８(a)、(b)に示すように、上記掘り下げ内面４ａと同一高さで、これと隣接し、かつ連続状態に、プラグ挿入孔４の開口部縁に沿って形成したものである。
【００３１】
なお、プラグ挿入孔４の周側面の内、上記掘り下げ内面４ａ及びコイルセット部４ｂを形成した側の面は、該掘り下げ内面４ａ及びコイルセット部４ｂ以外は前記係止鍔９の外面側と同一高さの平面に構成してある。
また該プラグ挿入孔４の周側面の内、上記掘り下げ内面４ａ及びコイルセット部４ｂを構成した面並びにこれと対面する面に対して直交する両内側面は、該プラグ挿入孔４の正面開口部縁で最もその間の幅が狭く、前記素子保持部６側(奥側）に向かって徐々にその間の幅が広くなるように構成してある。なお、該正面開口部縁の幅は、シャッター本体２の回動内端となる辺に直交する両側の辺間の間隔より僅かに狭く構成してあり、該シャッター本体２の外開きが不可能となるようにしてある。
【００３２】
前記シャッター本体２は、図１(a)に示すように、プラグ挿入孔４の正面開口部の形状に対応する外形を持った板状の部材であり、図５(a)〜(g)に示すように、回動内端となる辺の両端に各々回転軸１０を備えたものである。また該シャッター本体２の正面側には、回動内端となる辺寄りの部位から回動外端となる辺までそれらの辺に直交する向きでかつ中心線に沿って延びるプラグ案内溝２ａが凹設してある。そのため該シャッター本体２がプラグ挿入孔４の正面開口部にセットしてある場合に、光プラグｐをプラグ挿入孔４に挿入しようとすると、初めに該光プラグｐの先端の光授受部ｐ１が該プラグ案内溝２ａの中央側の端部付近に当接し、更に押し込むと、プラグ挿入孔４への進入に伴って該光授受部ｐ１は回動外端側の辺に向かいつつ該プラグ案内溝２ａ中をスライドし、同時に該シャッター本体ｐを開回動させることになる。
【００３３】
更に前記シャッター本体２の裏面側には、前記ねじりコイルバネ３の補助軸３ｃを回動自在に支持する補助軸用溝部２ｂ及び係止腕部３ｄの当接係止部３ｅをスライド係止させるスライド係合面２ｃが備えてある。図５(b)、(g)に示すように、該補助軸用溝部２ｂは、この実施例では、詳細は後述するねじりコイルバネ３の構成に対応させ、シャッター本体２の裏面側の回動内端となる辺に沿ってその一方側の回転軸１０に近接して、即ち、図５(b)中右側に構成する。該補助軸用溝部２ｂは、また、前記両回転軸１０、１０の軸心に一致させてねじりコイルバネ３の補助軸３ｃを配することができるように、その溝の深さ及び底部幅を設定する。
【００３４】
該補助軸用溝部２ｂは、図６(a)に示すように、その外端側（図５(b)中右端側）の部位は、溝を構成する両側の壁面は外開きの傾斜状に構成し、図６(b)、(c)に示すように、その内端寄りの部位は、シャッター本体２の回動内端側の壁面は外開きの傾斜状に、反対側の壁面は直立状に構成する。また該補助軸用溝部２ｂの内端側（図５(b)中左端側）は該補助軸用溝部２ｂの底面と同一高さの平面を持つ裏面凹部２ｄ側に開いている。該裏面凹部２ｄは、該補助軸用溝部２ｂの内端側からの延長方向及びシャッター本体２の回動内端となる辺側に広がっており、図６(a)、(b)、(c)に示すように、補助軸用溝部２ｂの、シャッター本体２の回動内端と反対側の傾斜状の壁面及び直立状の壁面の頂上部に、回動外端側からの登り傾斜の斜面の頂上部が接続している。また該回動外端側からの登り傾斜の斜面は、図５(b)、(g)及び図６(b)、(c)から理解できるように、内部側（図５(b)中左側）又は左斜め下側から外部側又は斜め上側に向かう登り傾斜を備えた構成となっている。
【００３５】
上記の登り傾斜は、後述するように、ねじりコイルバネ３をセットしたソケット本体１にシャッター本体２をセットする際に、補助軸３ｃを前記補助軸用溝部２ｂに誘導するのに好都合となっている。
【００３６】
前記スライド係合面２ｃは、図５(b)、(g)及び図６(d)に示すように、この実施例では、シャッター本体２の裏面側に回動内端となる辺に近接する位置からこれと平行な回動外端側の辺に延長するほぼ長方形状の凹面に構成する。その配置は、前記補助軸用溝部２ｂを近接して構成した回転軸１０と反対側の回転軸１０に近接する側である。
【００３７】
前記ねじりコイルバネ３は、前記し、特に図７(a)〜(g)に示すように、コイル部３ｂと、その一端から延長した係止腕部３ｄと、他端から延長したＵ字状の折曲係止部３ａと、更に該Ｕ字状の折曲係止部３ａの外端側から延長して構成した補助軸３ｃとで構成したものである。云うまでもなく、該ねじりコイルバネ３はバネ材で構成したものである。
【００３８】
前記コイル部３ｂは、図２(e)に示すように、前記プラグ挿入孔４の正面開口部縁に構成したコイルセット部４ｂにほぼ納まる長さ寸法及び径寸法に構成し、前記係止腕部３ｄは、該コイル部３ｂの一端から、前記し、図７(a)〜(e)、(g)に示すように、これに直交する方向にバネ線を延長して構成する。また該係止腕部３ｄは、その先端を該コイル部３ｂ側にかつ該コイル部３ｂと平行になるように折曲して当接係止部３ｅを構成する。
【００３９】
前記Ｕ字状の折曲係止部３ａは、図７(a)、(b)、(e)〜(g)に示すように、この実施例では、コイル部３ｂの長さ方向から見て、前記係止腕部３ｄとの間の角度がほぼ１３５度となるように、前記コイル部３ｂの他端側からバネ線を延長して構成する。該コイル部３ｂの他端からこのようにバネ線を延長してＵ字の一方の縦部相当部を構成し、その先端で、該コイル部３ｂから遠ざかる方向にかつ該コイル部３ｂの長さ方向と平行になるように直角に折曲して延長し、Ｕ字の底部相当部を構成し、その先端で、またほぼ直角に折曲して前記Ｕ字の一方の縦部相当部と平行な他方の縦部相当部を構成するものである。該他方の縦部相当部は、前記コイル部３ｂの延長上の位置まで戻った長さに構成する。
【００４０】
前記補助軸３ｃは、図７(a)〜(e)、(g)に示すように、該Ｕ字状の折曲係止部３ａの他方の縦部相当部の先端からバネ線を更に延長して構成する。該補助軸３ｃは、該他方の縦部相当部の先端を前記係止腕部３ｄと平行になるように折曲して所定の長さ延長し、その先端で前記コイル部３ｂの長さ方向に平行にかつ該コイル部３ｂに近づく方向に折曲して構成したものである。
【００４１】
なお、前記係止腕部３ｄとＵ字状の折曲係止部３ａとの間の幅は、図２(e)に示すように、コイル部３ｂをコイルセット部４ｂにセットし、Ｕ字状の折曲係止部３ａをプラグ挿入孔４の前記掘り下げ内面４ａに配し、その一方の縦部相当部及び底部相当部を係止鍔９の下方の係止用隙間空間１２に挿入した場合に、該係止腕部３ｄ乃至コイル部３ｂの外端側がコイルセット部４ｂの外端側に当接状態になり、Ｕ字状の折曲係止部３ａの他方の縦部相当部が前記掘り下げ内面４ａの外縁の壁に当接することになるように、その寸法を設定する。またＵ字状の折曲係止部３ａの長さは、以上のようにセットした状態で、その底部相当部が前記掘り下げ内面４ａの奥行き方向の壁部に当接する寸法に設定する。
【００４２】
このようにねじりコイルバネ３の寸法を設定し、以上と同様に、図２(e)に示すように、前記コイル部３ｂをコイルセット部４ｂにセットし、Ｕ字状の折曲係止部３ａをプラグ挿入孔４の前記掘り下げ内面４ａに配し、その一方の縦部相当部及び底部相当部を係止鍔９の下方の係止用隙間空間１２に挿入した上で、図５(g)に示すように、プラグ挿入孔４の正面開口部に前記シャッター本体２をセットした場合に、前記Ｕ字状の折曲係止部３ａの他方の縦部相当部の先端から延長するバネ線の長さをその先端の補助軸３ｃが該シャッター本体２の補助軸用溝部２ｂに正確に嵌合し得る寸法に設定し、かつ前記コイル部３ｂの一端から延長する係止腕部３ｄの長さをその先端の当接係止部３ｅが該シャッター本体２のスライド係合面２ｃの回動内端となる辺に近い部位にスライド自在に当接係合するように設定する。なお、更にこのとき、該係止腕部３ｄは該スライド係合面２ｃの外側縁に接し、補助軸３ｃはその外端が該補助軸用溝部２ｂの外端に接するような位置関係となるように、相互の構成を調整しておくものとする。
【００４３】
各構成要素を以上のように構成したこの実施例の光コネクタのソケットは、以下のようにして簡単に組み立てることができる。
【００４４】
まずソケット本体１のプラグ挿入孔４の内面所定部位にねじりコイルバネ３をセットする。図８(a)、(b)に示すように、Ｕ字状の折曲係止部３ａを掘り下げ内面４ａ上を滑らせながらプラグ挿入孔４の奥側に進入させ、その先端の底部相当部と一方の縦部相当部とを係止鍔９と該掘り下げ内面４ａとの間の係止用隙間空間１２に進入係止させる。該折曲係止部３ａを、このように、最後まで押し込むと、同時にコイル部３ｂはコイルセット部４ｂにセットされ、図２(e)、図８(b)に示すように、ねじりコイルバネ３は、所定のセット状態となる。
【００４５】
シャッター本体２は、図９(a)〜(c)に示すように、プラグ挿入孔４の正面開口部に切欠部１１が形成してある辺から装入して取り付ける。図９(a)に示すように、シャッター本体２の回動外端となる辺から装入を開始し、同図(b)に示すように、大部分を装入した段階に至ると、その両端の回転軸１０、１０が切欠部１１の両側付近のスライド案内溝８ａ、８ａに進入して弾力突出部８ｂ、８ｂの手前で停止することになる。
【００４６】
この後、該シャッター本体２を、該スライド案内溝８ａ、８ａの延長方向に強く押し込むことにより、該回転軸１０、１０を、該弾力突出部８ｂ、８ｂを弾力的に後退させながら乗り越えさせ、同図(c)、図１(a)及び図２(a)〜(c)に示すように、該回転軸１０、１０をそれぞれ対応する軸受部８、８に嵌合させる。こうして該シャッター本体２は、プラグ挿入孔４の正面開口部に正しくセットされた状態になる。
【００４７】
なお、以上に於いて、前記のようにセットしてあるねじりコイルバネ３の補助軸３ｃ及び係止腕部３ｄの当接係止部３ｅは、シャッター本体２のスライド装入の間、その裏面側を滑りながら相対的に移動し、該シャッター本体２が、前記のように、プラグ挿入孔４の正面開口部に正しくセットされた状態になった時点で、それぞれ該シャッター本体２の所定の位置に正確にセットされた状態となる。即ち、補助軸３ｃは、図２(c)に示すように、該シャッター本体２の裏面に構成してある補助軸用溝部２ｂに正確にセットされた状態になり、係止腕部３ｄの当接係止部３ｅは、図２(a)に示すように、スライド係合面２ｃの所定の部位に当接状態となる。
【００４８】
また前記光素子５は、図１０(a)〜(e)に示すように、その本体側を先頭にして挿入スリット７に挿入し、これを通じて押し込むことにより素子保持部６に装入保持させることができる。前記したように、弾力ストッパ６ｄを弾力的に後退させつつ乗り越えれば、素子保持部６中に進入し、今度は、復帰進出した弾力ストッパ６ｄにより素子保持部６からの脱落が防止されることになる。
【００４９】
したがってこの実施例の光コネクタのソケットによれば、これに光プラグｐを嵌合させる場合は、このタイプの従来のそれと同様に、単にグリップ部ｇを掴んでプラグ先端をプラグ挿入孔４中に押し込み挿入すればよい。図１１(a)、(b)に示すように、まずプラグｐの光授受部ｐ１がシャッター本体２のプラグ案内溝２ａの中央部側に当接し、そのまま押し込むと、同図(c)、(d)に示すように、該シャッター本体２は、前記回転軸１０、１０を中心に内開き状態に回動し、これに伴って光授受部ｐ１はプラグ案内溝２ａ中をシャッター本体２の回動外端側にスライド移動する。
【００５０】
光プラグｐを更に押し込むと、図１１(e)、(f)及び図１４(a)、(b)に示すように、シャッター本体２は更に開き回動してプラグ挿入孔４の内側面と平行な状態にまでなる。光授受部ｐ１はこの過程で該シャッター本体２の回動外端でプラグ案内溝２ａから外れ、プラグ挿入孔４の最奥部に開口してある接続穴６ａに進入し、素子保持部６に保持されている光素子５と光結合状態となる。
【００５１】
以上の過程に於けるシャッター本体２の内開き回動は、云うまでもなく、前記軸受部８、８に回動自在に支持された回転軸１０、１０を中心として行われるが、図１２(b)〜(d)に示すように、この回動は、シャッター本体２の裏面の補助軸用溝部２ｂに回動自在に嵌合しているねじりコイルバネ３の補助軸３ｃによって補助されている。即ち、シャッター本体２に回動中心をずらすような外力が働き、これによって回動中心に若干ズレが生じるようなことがあっても、これを弾力的に復帰させ、正確な回動中心でシャッター本体２の開閉動作を行わせることができる。そのため、シャッター本体２のいずれかの部位がプラグ挿入孔４の内側面のいずれかに接触して正常な動作ができなくなるような問題が生じる虞がない。例えば、光プラグｐを抜いてもシャッター本体２がいずれかに接触して復帰回動しない等のような問題が生じる虞はなくなる。
【００５２】
また、以上のようなねじりコイルバネ３の補助軸３ｃの作用により、シャッター本体２の両回転軸１０、１０が、該シャッター本体２に作用することのある外力によって軸受部８、８から抜け出るのを防止することもできる。
【００５３】
シャッター本体２の閉止状態の維持及び内開き状態から閉止状態への復帰は、云うまでもなく、ねじりコイルバネ３の作用によって行われる。図１３(a)〜(c)に示すように、これは、ねじりコイルバネ３の係止腕部３dの先端の当接係止部３ｅがシャッター本体２のスライド係合面２ｃにスライド自在に当接し、該シャッター本体２をその閉止状態側に押すことによって行われている。前記のように、光プラグｐのプラグ挿入孔４への進入によってシャッター本体２が開き回動させられると、図１３(a)〜(c)に示すように、前記当接係止部３ｅは、そのスライド係合面２ｃをその回動外端側に向かってスライドしながらその動きに追随する。光プラグｐが抜き取られると、該当接係止部３ｅは、逆方向にスライド移動しながら該ねじりコイルバネ３の作用により該シャッター本体２を閉止状態まで復帰回動させる。
【００５４】
なお、ねじりコイルバネ３のコイル部３ｂは、以上の如くしてシャッター本体２及び掘り下げ内面４ａによりコイルセット部４ｂ中に抑え込まれた状態となっているので、軸状部材で支持されていなくても、該コイルセット部４ｂ中に確実に保持された状態となる。
【００５５】
このようにこの実施例の光コネクタのソケットによれば、簡明な構成でありながら安定した確実な開閉動作を確保することができるものである。
【図面の簡単な説明】
【００５６】
【図１】(a)は実施例の光コネクタのソケットの正面図、(b)は平面図、(c)は底面図、(d)は右側面図。
【図２】(a)は図１(a)のＡ−Ａ線断面図、(b)は図１(a)のＢ−Ｂ線断面図、(c)は図１(a)のＣ−Ｃ線断面図、(d)はプラグ挿入孔の切欠部の連続する内面の概略図、(e)はプラグ挿入孔の切欠部の連続する内面にねじりコイルバネをセットした状態の概略図。
【図３】(a)はソケット本体の正面図、(b)は平面図、(c)は底面図、(d)は右側面図。
【図４】(a)は図３(a)のＤ−Ｄ線断面図、(b)は図３(a)のＥ−Ｅ線断面図、(c)は図３(a)のＦ−Ｆ線断面図。
【図５】(a)はシャッター本体の正面図、(b)は背面図、(c)は平面図、(d)は底面図、(e)は左側面図、(f)は右側面図、(g)はねじりコイルバネとの取付関係を示した背面図。
【図６】(a)は図５(a)のＧ−Ｇ線拡大断面図、(b)は図５(a)のＨ−Ｈ線拡大断面図、(c)は図５(a)のＩ−Ｉ線拡大断面図、(d)は図５(a)のＪ−Ｊ線拡大断面図。
【図７】(a)はねじりコイルバネの正面図、(b)は背面図、(c)は平面図、(d)は底面図、(e)は左側面図、(f)は右側面図、(g)は斜視図。
【図８】(a)はソケット本体にねじりコイルバネをセットする操作の開始時点の状態を示す斜視図、(b)はセット完了時点の状態を示す斜視図。
【図９】(a)はソケット本体にシャッター本体をセットする操作の開始時点の状態を示す斜視図、(b)は操作途中の時点の状態を示す斜視図、(c)はセット完了時点の状態を示す斜視図。
【図１０】(a)はソケット本体に光素子をセットする操作の開始時点の状態を示す斜視図、(b)は操作途中の時点の状態を示す斜視図、(c)は(b)の断面図、(d)はセット完了時点の状態を示す斜視図、(e)は(d)の断面図。
【図１１】(a)は実施例の光コネクタのソケットに光プラグを挿入する動作の開始時点を示す斜視図、(b)は(a)の断面図、(c)は光プラグを途中まで挿入した状態を示す斜視図、(d)は(c)の断面図、(e)は光プラグの挿入完了時点の斜視図、(f)は(e)の断面図。
【図１２】(a)は実施例の光コネクタのソケットの正面図、(b)は(a)のＬ−Ｌ線断面図、(c)はシャッター本体を４５度開いた状態の(a)のＬ−Ｌ線断面、(d)はシャッター本体を完全に開いた状態の(a)のＬ−Ｌ線断面図。
【図１３】(a)は図１２(a)のＫ−Ｋ線断面図、(b)はシャッター本体を４５度開いた状態の図１２(a)のＫ−Ｋ線断面、(c)はシャッター本体を完全に開いた状態の図１２(a)のＫ−Ｋ線断面図。
【図１４】(a)はプラグをプラグ挿入孔に挿入した状態の光プラグのソケットの正面図、(b)は(a)のＭ−Ｍ線断面図。
【符号の説明】
【００５７】
１    ソケット本体
２    シャッター本体
２ａ  プラグ案内溝
２ｂ  補助軸用溝部
２ｃ  スライド係合面
２ｄ  裏面凹部
３    ねじりコイルバネ
３ａ  Ｕ字状の折曲係止部
３ｂ  コイル部
３ｃ  補助軸
３ｄ  係止腕部
３ｅ  当接係止部
４    プラグ挿入孔
４ａ  掘り下げ内面
４ｂ  コイルセット部
５    光素子
６    素子保持部
６ａ  接続穴
６ｂ、６ｃ  弾力突条
６ｄ  弾力ストッパ
７    挿入スリット
８    軸受部
８ａ  スライド案内溝
８ｂ  弾力突出部
９    係止鍔
１０  回転軸
１１  切欠部
１２  係止用隙間空間
ｐ    光プラグ
ｐ１  光授受部
ｇ    グリップ部
【図１】
0003129567.tif 000003
【図２】
0003129567.tif 000004
【図３】
0003129567.tif 000005
【図４】
0003129567.tif 000006
【図５】
0003129567.tif 000007
【図６】
0003129567.tif 000008
【図７】
0003129567.tif 000009
【図８】
0003129567.tif 000010
【図９】
0003129567.tif 000011
【図１０】
0003129567.tif 000012
【図１１】
0003129567.tif 000013
【図１２】
0003129567.tif 000014
【図１３】
0003129567.tif 000015
【図１４】
0003129567.tif 000016
【手続補正書】
【提出日】平成18年12月7日(2006.12.7)
【手続補正１】
【補正対象書類名】実用新案登録請求の範囲
【補正対象項目名】請求項６
【補正方法】変更
【補正の内容】
【請求項６】
前記シャッター本体の回動内端となる辺側の裏面側一側部に、前記回転軸の軸心に一致させて補助軸用溝部を構成し、前記ねじりコイルバネの補助軸を該補助軸用溝部に挿入し得るように構成した請求項１、２、３、４又は５の光コネクタのソケット。
【手続補正２】
【補正対象書類名】明細書
【補正対象項目名】００１３
【補正方法】変更
【補正の内容】
【００１３】
本考案の６は、本考案の１、２、３、４又は５の光コネクタのソケットに於いて、前記シャッター本体の回動内端となる辺側の裏面側一側部に、前記回転軸の軸心に一致させて補助軸用溝部を構成し、前記ねじりコイルバネの補助軸を該補助軸用溝部に挿入し得るように構成したものである。